(57)【特許請求の範囲】
【請求項１】
容器本体（１０）と、
前記容器本体（１０）に装着された無空気吐出ポンプと、
前記無空気吐出ポンプの操作によりピストン（２０）が前記容器本体（２０）の内壁に沿ってかつ内壁に当接して上方移動すると、前記容器本体（１０）に充填された内容物の最上位置が無空気吐出ポンプの内容物入口まで到達するように前記容器本体（１０）に装着され、かつ該ピストン（２０）の底面に取り付けられた糸固定部（２０ａ）を有する、前記ピストン（２０）と、
前記ピストン（２０）の上方移動と連携して前記容器本体（１０）に残っている内容物の量を示す表示器（３０）と、
前記糸固定部（２０ａ）に一端が結合し、前記表示器（３０）の底面に装着された指示ポインタ（３０ａ）に他端が結合した糸（４０）と、を備え、
前記表示器（３０）は、前記指示ポインタ（３０ａ）に結合した糸（４０）が溝内に巻かれている螺旋状溝（３０ｂ）と、前記指示ポインタ（３０ａ）を動きに抗して弾性的に抑止するねじりばね（３０ｃ）と、を有する化粧品容器。
【請求項２】
前記表示器（３０）は、前記容器本体（１０）の底壁に装着されている、請求項１に記載の化粧品容器。
【発明の詳細な説明】
【技術分野】
【０００１】
本発明は、ピストンを備えた化粧品容器に関し、無空気吐出ポンプの操作により容器の内壁に沿ってかつ内壁に当接してピストンが上方移動すると、容器に充填された内容物が常に無空気吐出ポンプの内容物入口まで達するものに関する。特に、本発明は、このような化粧品容器において容器に残っている内容物の量が、ピストンの上方移動と連携して表示されるものに関する。
【背景技術】
【０００２】
一般的に、容器に充填された液体又はゲル状態の内容物を適量で吐出するために、無空気吐出ポンプが用いられてきた。このような無空気吐出ポンプは、少量かつ正確な量で内容物を吐出可能であり、故に、効能ある通常高価である内容物を充填した効能本位の化粧品容器に用いられてきた。化粧品容器はさらに、容器に充填された内容物が、常に、無空気吐出ポンプの内容物入口に到達できるようにするピストンを具備する。すなわち、容器に装着されたピストンが容器の内壁に沿ってかつ内壁に当接して上方移動すると、容器に充填された内容物の最上位置にある部分が無空気吐出ポンプの内容物入口に近づく。
【先行技術文献】
【特許文献】
【０００３】
【特許文献１】韓国実用新案登録出願公開第２００８−０００２０４４号公報
【発明の概要】
【発明が解決しようとする課題】
【０００４】
しかしながら、一般的に、化粧品容器の外周面上に化粧品の製品名や製造者等が表示されているか、又は、容器に充填された内容物が直接太陽光の影響を受けないように化粧品容器自体が不透明材料から形成されている。従って、容器に残っている内容物の量をユーザが確認することが困難である。
【０００５】
従って、本発明は、上記の状況に鑑みなされたものであり、本発明の目的は、容器に残っている内容物の量又は内容物の消費量が、ピストンの上方移動と連携して表示されるような化粧品容器を提供することである。
【課題を解決するための手段】
【０００６】
本発明による化粧品容器は、容器本体と、容器本体に装着された無空気吐出ポンプと、無空気吐出ポンプの操作によりピストンが容器本体の内壁に沿ってかつ内壁に当接して上方移動すると容器本体に充填された内容物の最上位置が無空気吐出ポンプの内容物入口まで到達するように容器本体に装着され、かつ該ピストンの底面に取り付けられた糸固定部を有する、ピストンと、ピストンの上方移動と連携して容器本体に残っている内容物の量を示す表示器と、糸固定部に一端が結合し、表示器の底面に装着された指示ポインタに他端が結合した糸と、を備え、表示器は、指示ポインタに結合した糸が溝内に巻かれている螺旋状溝と、指示ポインタを動きに抗して弾性的に抑止するねじりばねと、を有する。
【発明の効果】
【０００７】
本発明によれば、ユーザが、容器中に残る内容物の量を容易に確認することができる。
【図面の簡単な説明】
【０００８】
【図１】図１は、本発明の化粧品容器の展開図である。
【図２】図２は、表示器とピストンの間の接続関係、並びに図１に示した表示器の構造を示す図である。
【図３】図３は、容器が内容物で完全に充填された初期状態を示し、ピストンが容器の底部に可能な限り近く位置する図である。
【図４】図４は、内容物を使い切った状態を示し、容器中の内容物は実質的に使い尽くされ、よってピストンが無空気吐出ポンプの内容物入口に可能な限り近く位置する図である。
【発明を実施するための形態】
【０００９】
本発明の実施例は、例示のために、限定されることなく図面に示され、類似の構成要素な同じ参照符号で示す。
【００１０】
以下、添付の図面を参照しつつ本発明の好適な実施例を詳細に説明する。本発明は実施例に限定されず、当業者によって多くの変形が可能である。
図１は、本発明の化粧品容器の展開図である。
図１を参照すると、本発明の化粧品容器は、容器本体１０と、本体１０に装着されたピストン２０と、ピストン２０の上方移動に伴って容器本体に充填された内容物の消費レベルを示す表示器３０と、を具備する。
【００１１】
押しボタンと内容物吐出孔とを具備する無空気吐出ポンプ（図示せず）が、容器本体２０の頂部の上に装着されている。無空気吐出ポンプは、当業者に自明の汎用的なすなわち通常の手法で取り付け可能であり、よってここでは詳細は省略する。
【００１２】
容器本体１０内の内容物が徐々に消費されるにつれて、ピストン２０が容器本体１０の内壁に沿ってかつ内壁に当接して上方移動する。ピストン２０の上方移動は、容器本体１０内の負圧に依存する。ピストン２０の上方移動は、ピストン２０と無空気吐出ポンプを操作する押しボタンとの間に装着されたピニオンギアを用いて駆動されてもよい。２００８年６月２３日公開の特許文献１は、ピストンを上昇させるこのようなピニオンギアを用いた化粧品容器を開示する。
【００１３】
表示器３０は、容器本体１０の底壁の下面に装着され、指示ポインタすなわち指針３０ａを具備することにより、ユーザに対して容器本体１０に現在残っている内容物の量を知らせる。指示ポインタ３０ａは、ピストン２０の上方移動と連携して回動することができる。
【００１４】
図２は、図１に示した表示器３０とピストン２０の接続関係と、表示器３０の構造とを示した図である。
図２を参照すると、表示器３０は、残っている内容物の量をユーザに知らせる指示ポインタすなわち指針３０ａと、螺旋状溝３０ｂと、ねじりばね３０ｃとを具備する。一方、糸固定部２０ａが、ピストン２０の底面に取り付けられている。
【００１５】
指示ポインタ３０ａは、動きに抗するようにねじりばね３０ｃにより弾性的に抑止されている。指示ポインタ３０ａと糸固定部２０ａは、糸４０を介して互いに接続されている。指示ポインタ３０ａに結合された糸４０は、螺旋状溝３０ｂの溝内に巻かれてから螺旋状溝３０ｂの他端にて孔を貫通し、ピストン２０の底面に取り付けられた糸固定部２０ａに繋がっている。図２に示すように、螺旋状溝３０ｂは、中空のダクトの形態で表示器３０のプレートに形成してもよい。
【００１６】
ピストン２０が上昇すると、糸４０は上方に引っ張られ、それにより、糸４０に結合した指示ポインタ３０ａは、回動するように引っ張られる。
【００１７】
図３は、容器本体１０が完全に内容物で充填され、よってピストン２０が可能な限り容器本体１０の底壁近傍に位置している初期状態を示す図である。
図３を参照すると、ピストン２０はその最下位置にあり、よって、糸４０はピストン２０により上方に引っ張られていない。この状態にて、指示ポインタ３０ａは、回動動作に抗するようにねじりばね３０ｃにより弾性的に抑止されている。よって、指示ポインタ３０ａは、容器本体１０の満充填状態を示している。
【００１８】
図４は、容器本体１０内の内容物が実質的に使い尽くされ、よってピストン２０が可能な限り無空気吐出ポンプの内容物入口（図示せず）近傍に位置する内容物消尽状態を示す図である。
図４を参照すると、ピストン２０はその最上位置にあり、よって糸４０はピストン２０により最大力で上方に引っ張られてる。この状態では、指示ポインタ３０ａもまた、それに結合された糸４０により最大力で、回動するように引っ張られる。それにより、容器本体１０の空の状態を示す。
【００１９】
充填状態と空の状態の中間状態では、指示ポインタ３０ａの回動量は、ピストン２０の上昇高さ、すなわち内容物の使用量に比例する。この結果、ユーザは、指示ポインタ３０ａの位置を調べることにより、容器本体１０内に残っている内容物の量を容易に確認できる。
【００２０】
以上では、本発明を特定の実施例を参照して説明したが、当業者であれば本発明の原理及び主旨から逸脱することなくこの実施例における変更が可能であることは自明であろう。本発明の範囲は添付の請求の範囲により規定される。
【符号の説明】
【００２１】
１０  容器本体
２０  ピストン
２０ａ  ねじ固定部
３０  表示器
３０ａ  指示ポインタ
３０ｂ  螺旋状溝
３０ｃ  ねじりばね
４０  糸
【図１】
0005584779.tif 000002
【図２】
0005584779.tif 000003
【図３】
0005584779.tif 000004
【図４】
0005584779.tif 000005